(57)【要約】      （修正有）【課題】送信側のファクシミリ装置において、原稿画像が訂正されて内容が変わった場合であっても、受信側のファクシミリ装置において、当該誤り訂正後の原稿画像を印刷した上でファクス送信を終了する。【解決手段】受信側の複合機２は、ファクシミリ通信部２４０と、画像メモリー２２０と、変更処理部２０２と、画像形成部２３０とを備える。ファクシミリ通信部２４０は、送信側の複合機から原稿画像を受信する。画像メモリー２２０は、受信された各頁の原稿画像を記憶する。変更処理部２０２は、送信側の複合機１から変更要求が受信されたときに、当該変更要求の示す変更内容に従って、画像メモリー２２０に記憶されている各頁の原稿画像を変更する変更処理を行う。画像形成部２３０は、変更処理後の各頁の原稿画像を画像形成する。【選択図】図２２
2014216967.tif 000002
【特許請求の範囲】
【請求項１】
他のファクシミリ装置から、原稿画像を頁情報と共に頁単位で受信するデータ受信部と、
前記データ受信部によって受信された前記各頁の原稿画像を一時的に記憶する受信データ記憶部と、
前記データ受信部が、前記他のファクシミリ装置から原稿画像を受信しているファクス通信ジョブの実行中に、当該他のファクシミリ装置から、前記受信データ記憶部に記憶されている前記各頁の原稿画像を変更する変更要求を受信したときに、当該変更要求の示す変更内容に従って、前記受信データ記憶部に記憶されている前記各頁の原稿画像を変更する変更処理を行う変更処理部と、
前記受信データ記憶部に記憶されている前記変更処理後の前記各頁の原稿画像を画像形成する画像形成部と、を備えたファクシミリ装置。
【請求項２】
前記データ受信部が、前記他のファクシミリ装置から、前記変更要求として、前記受信データ記憶部に記憶されている各頁の原稿画像についてのヘッダー又はフッターの付加情報を示す新たな付加情報画像と、当該各頁の原稿画像についての従前の付加情報画像を当該新たな付加情報画像に置き換えさせる置換指示とを受信したとき、前記変更処理部が、前記受信データ記憶部に記憶されている前記各頁の原稿画像のうち、前記置換指示の示す頁の原稿画像の従前の付加情報画像を前記新たな付加情報画像に置き換える処理を行う請求項１に記載のファクシミリ装置。
【請求項３】
送信側ファクシミリ装置と、請求項１に記載のファクシミリ装置を受信側ファクシミリ装置として有する通信システムであって、
前記送信側ファクシミリ装置は、
ファクス送信の対象とするデータを各データの頁情報と共に頁単位で取得するデータ取得部と、
前記データ取得部によって取得されたデータを一時的に記憶する記憶部と、
前記記憶部に一時的に記憶されたデータを頁単位で読み出して、指定された相手先のファクシミリ装置に対して、各頁順に頁単位でファクス送信するファクシミリ通信部と、
前記ファクシミリ通信部による前記相手先への前記ファクス送信中に、ファクス送信済み及びファクス未送信の各頁のデータについて、データを変更する変更指示を頁単位で受け付ける変更指示受付部と、
前記ファクシミリ通信部が前記取得されたデータを前記相手先にファクス送信するファクス送信ジョブの実行中に、前記変更指示受付部に受け付けられた変更指示により変更の対象とされる頁のデータを変更するための変更処理を行うデータ変更部と、を備える通信システム。
【請求項４】
送信側ファクシミリ装置と、請求項２に記載のファクシミリ装置を受信側ファクシミリ装置として有する通信システムであって、
前記送信側ファクシミリ装置は、
ファクス送信の対象とするデータを各データの頁情報と共に頁単位で取得するデータ取得部と、
前記データ取得部によって取得された各頁のデータに、各頁に応じたヘッダー又はフッターの付加情報を示す付加情報画像を生成して合成する画像生成部と、
前記画像生成部による付加情報画像合成後の前記各頁のデータを一時的に記憶する記憶部と、
前記記憶部に一時的に記憶されたデータを頁単位で読み出して、指定された相手先に各頁順に頁単位でファクス送信するファクス送信部と、
前記ファクス送信部による前記相手先への前記ファクス送信中に、ファクス送信済み及びファクス未送信の各頁のデータについて、データを変更する変更指示を頁単位で受け付ける変更指示受付部と、
前記ファクス送信部による前記取得されたデータをファクス送信するジョブの実行中に、前記変更指示受付部に受け付けられた変更指示により変更の対象とされる頁のデータを変更するための変更処理を行うデータ変更部と、
前記データ変更部の前記変更処理により、前記取得された各頁のデータの前記付加情報に変更が生じるか否かを判断する変更有無判断部とを備え、
前記画像生成部は、前記変更有無判断部により前記付加情報に変更が生じると判断されたときに、前記変更処理後の各頁のデータについての付加情報画像を新たに生成して、前記記憶部に記憶されている各頁のデータのうち該当する頁のデータに、対応する付加情報画像を合成し、
前記ファクス送信部は、前記ファクス送信済の頁のデータについて前記新たに生成された付加情報画像を、対応する各頁のデータに当該付加情報を合成させる合成指示と共に、前記相手先となるファクシミリ装置に送信する通信システム。
【発明の詳細な説明】
【技術分野】
【０００１】
本発明は、ファクシミリ装置に関し、特に、ファクス送信の対象とするデータを変更する技術に関する。
【背景技術】
【０００２】
ファクシミリ装置においては、下記特許文献１に示されるように、原稿画像を送信しつつ、原稿画像を表示部による表示で確認可能とし、誤りを有する原稿画像については、後で修正した画像を送信して、相手先ファクシミリ装置でプリントされた印刷物を操作者に差し替えてもらう技術が示されている。さらには、特許文献２には、既にファクシミリ送信した画像に対して画像の追加、挿入、又は差し替えを要求するコマンドと、メールボックスを指定する情報とを相手先に送信することにより、既に送信済の頁に新たな頁を追加又は変更する技術が示されている。
【先行技術文献】
【特許文献】
【０００３】
【特許文献１】特開２００３−１６７７０５号公報
【特許文献２】特開平１１−２７５３３８号公報
【発明の概要】
【発明が解決しようとする課題】
【０００４】
しかしながら、上記特許文献１に示される技術は、相手先のファクシミリ装置でプリントされた後、当該ファクシミリ装置の操作者が印刷物を差し替えるに過ぎないため、用紙及び通信費に無駄が生じる。さらに、特許文献２に示される技術は、既に相手先に送信完了した原稿画像を後から変更するに過ぎないため、誤った原稿画像をファクス送信してしまったジョブを終了した後の事後処理に過ぎない。また、上記特許文献１に示される技術の場合、ファクス送信の対象とする原稿の読取で得た原稿画像を表示により確認して、原稿画像を修正又は削除しているが、既に相手先に送信した原稿画像の修正について対処するものではない。
【０００５】
本発明は、上記の問題を解決するためになされたもので、送信側のファクシミリ装置から各頁の原稿画像のファクス送信を開始した後に、当該送信側のファクシミリ装置において原稿画像が訂正されて内容が変わった場合であっても、受信側のファクシミリ装置において、当該誤り訂正後の原稿画像を印刷した上でファクス送信を終了することを目的とする。
【課題を解決するための手段】
【０００６】
本発明の一局面に係るファクシミリ装置は、他のファクシミリ装置から、原稿画像を頁情報と共に頁単位で受信するデータ受信部と、前記データ受信部によって受信された前記各頁の原稿画像を一時的に記憶する受信データ記憶部と、前記データ受信部が、前記他のファクシミリ装置から原稿画像を受信しているファクス通信ジョブの実行中に、当該他のファクシミリ装置から、前記受信データ記憶部に記憶されている前記各頁の原稿画像を変更する変更要求を受信したときに、当該変更要求の示す変更内容に従って、前記受信データ記憶部に記憶されている前記各頁の原稿画像を変更する変更処理を行う変更処理部と、
前記受信データ記憶部に記憶されている前記変更処理後の前記各頁の原稿画像を画像形成する画像形成部と、を備える。
【０００７】
この発明では、変更処理部が、データ受信部が他のファクシミリ装置から受信データ記憶部に記憶されている各頁の原稿画像を変更する変更要求を受信したときに、当該変更要求の示す変更内容に従って、当該各頁の原稿画像を変更する変更処理を行い、印刷部は、当該変更処理後の各頁の原稿画像を印刷するので、送信側のファクシミリ装置において原稿画像が訂正されて内容が変わった場合であっても、受信側のファクシミリ装置において、当該誤り訂正後の原稿画像を印刷した上でファクス送信を終了することが可能になる。
【発明の効果】
【０００８】
本発明によれば、送信側のファクシミリ装置から各頁の原稿画像のファクス送信を開始した後に、当該送信側のファクシミリ装置において、原稿画像が訂正されて内容が変わった場合であっても、受信側のファクシミリ装置において、当該誤り訂正後の原稿画像を印刷した上でファクス送信を終了することが可能である。
【図面の簡単な説明】
【０００９】
【図１】本発明の第１実施形態に係るファクシミリ装置としての複合機の内部構成の概略を示すブロック図である。
【図２】第１実施形態に係る複合機とファクス送信の相手先となるファクシミリ装置とのファクス通信処理を示す図である。
【図３】第１実施形態に係る複合機によるファクス送信処理を示すフローチャートである。
【図４】操作部及び表示部を示す図である。
【図５】表示部の表示画面の一例を示す図である。
【図６】表示部の表示画面の一例を示す図である。
【図７】変更処理時における第１実施形態に係る複合機とファクス送信の相手先となるファクシミリ装置とのファクス通信処理を示す図である。
【図８】第２実施形態に係る複合機の電気的構成の概略を示すブロック図である。
【図９】第２実施形態に係る複合機によるファクス送信処理を示すフローチャートである。
【図１０】（Ａ）は複合機１から相手先ファクシミリ装置に送信する付加情報画像と新たな頁の画像の一例を示し、（Ｂ）は既に相手先ファクシミリ装置に送信済の各頁の画像の一例を示し、（Ｃ）は相手先ファクシミリ装置において新たな付加情報画像の合成により書き換えられた各ベジの画像の一例を示す図である。
【図１１】第２実施形態に係る複合機によるファクス送信処理の他の実施形態を示すフローチャートである。
【図１２】第３実施形態に係る複合機の電気的構成の概略を示すブロック図である。
【図１３】第３実施形態に係る複合機によるファクス送信処理を示すフローチャートである。
【図１４】レポート画像を受信して画像形成した場合における画像形成結果の例を示す図である。
【図１５】レポート画像を受信して画像形成した場合における画像形成結果の例を示す図である。
【図１６】レポート画像を受信して画像形成した場合における画像形成結果の例を示す図である。
【図１７】レポート画像を受信して画像形成した場合における画像形成結果の例を示す図である。
【図１８】第３実施形態に係る複合機によるファクス送信処理の他の実施形態を示す図である。
【図１９】レポート画像を受信して画像形成した場合における画像形成結果の例を示す図である。
【図２０】レポート画像を受信して画像形成した場合における画像形成結果の例を示す図である。
【図２１】レポート画像を受信して画像形成した場合における画像形成結果の例を示す図である。
【図２２】相手先ファクシミリ装置についての構成を示すブロック図である。
【図２３】受信側の複合機によるファクス受信処理を示すフローチャートである。
【発明を実施するための形態】
【００１０】
以下、本発明の実施形態に係るファクシミリ装置、及びファクス通信プログラムについて図面を参照して説明する。図１は、本発明の第１実施形態に係るファクシミリ装置としての複合機の内部構成の概略を示すブロック図である。
【００１１】
第１実施形態に係る複合機１は、制御ユニット１００と、画像読取部１１０と、画像メモリー１２０と、画像形成部１３０と、ファクシミリ通信部１４０とを有する。
【００１２】
画像読取部１１０は、原稿を読み取って原稿画像を取得するスキャナー等を備える。画像読取部１１０は、例えば原稿載置台、当該原稿載置台から搬送される原稿の画像を読み取るスキャナー、及び読取済の原稿を排出する排出機構を有するＡＤＦ（Auto Document Feeder）である。画像読取部１１０は、データ取得部の一例であり、ファクス送信の対象とされる原稿を１枚ずつ読み取ることで、ファクス送信の対象とするデータとして、各頁の原稿のデータ（原稿画像）をその頁情報と共に頁単位で取得する。なお、後述する通信インターフェイス１６０により、複合機１にネットワーク接続されているパーソナルコンピューター等から取得された各頁の原稿のデータもファクス送信の対象とされる。従って、通信インターフェイス１６０もデータ取得部の一例である。
【００１３】
画像メモリー１２０は、画像読取部１１０によって読み取られた原稿のデータ、ファクシミリ通信部１４０又は通信インターフェイス１６０により取得されたファクシミリ送信の対象となるデータ等、画像形成部１３０の印刷対象となるデータを一時的に保存する領域である。画像メモリー１２０は、画像読取部１１０によって取得された各頁の原稿のデータを一時的に記憶する記憶部として機能する。
【００１４】
画像形成部１３０は、画像読取部１１０によって読み取られた原稿のデータや、ファクシミリ通信部１４０により公衆回線を通じて他のファクシミリ装置から受信されたデータ等であって、画像メモリー１２０に記憶されているデータを読み出し、当該データを用いて画像形成（印刷）を行う。
【００１５】
ファクシミリ通信部１４０は、ファクシミリ通信に必要な諸機能を実行し、公衆回線を通じて外部のファクシミリ装置との間で画像データを送受信する。例えば、制御部１０１は、ファクス送信用に画像読取部１１０により読み取られて画像メモリー１２０に一時的に記憶されている各頁の原稿のデータを頁順に読み出して、ファクシミリ通信部１４０に、ユーザーによる操作部４７の操作で指定された相手先のファクシミリ装置に向けてファクス送信させる。
【００１６】
制御ユニット１００は、ＣＰＵ、ＲＯＭ及びＲＡＭ等からなり、複合機１の全体的な動作を司る。制御ユニット１００は、制御部１０１と、変更指示受付部１０２と、データ変更部１０３とを備えている。なお、ＨＤＤ１７０又は図略のＲＯＭに複合機１のファクス通信プログラムが記憶されており、制御ユニット１００は、当該ファクス通信プログラムに従って動作することにより、変更指示受付部１０２、及びデータ変更部１０３として機能する。但し、変更指示受付部１０２、及びデータ変更部１０３は、当該ファクス通信プログラムに基づく動作によらず、それぞれハード回路により構成されるものとしてもよい。以下、特に触れない限り、各実施形態について同様である。
【００１７】
制御部１０１は、複合機１の全体的な動作を司る。
【００１８】
変更指示受付部１０２は、ファクス送信の相手先とするファクシミリ装置に対するファクシミリ通信部１４０によるファクス送信中に、ファクス送信済み及びファクス未送信の各頁のデータについて、データを変更する指示を頁単位でユーザーから受け付ける。
【００１９】
例えば、変更指示受付部１０２は、ユーザーによる操作部４７の操作に基づいて、画像メモリー１２０に一時的に記憶されている各頁のデータ（画像読取部１１０により読み取られた各頁の原稿のデータ）、又は既に相手先のファクシミリ装置に送信した各頁の原稿のデータについて、頁単位で、データを削除、他のデータへの差替、データ同士の順番の入替、又は、新たな頁のデータの挿入を行う指示を受け付ける。
【００２０】
データ変更部１０３は、画像読取部１１０又は通信インターフェイス１６０によって取得されて画像メモリー１２０に記憶されているファクス送信対象となるデータをファクシミリ通信部１４０がファクス送信しているファクス送信ジョブの実行中に、変更指示受付部１０２に受け付けられた変更指示により変更の対象とされる頁のデータを変更するための変更処理を行う。
【００２１】
データ変更部１０３は、例えば、ユーザーから受け付けられた上記変更指示に基づいて、上記の削除、差替、入替、又は挿入の各処理を実行する。データ変更部１０３は、当該変更指示により変更の対象とされる頁のデータが、ファクシミリ通信部１４０により未だ送信されずに画像メモリー１２０内に記憶されているファクス未送信の頁のデータに対するものであるときは、画像メモリー１２０に記憶されている各頁のデータのうち、当該変更対象とされる頁のデータに対して、当該変更指示が示す内容の変更処理を行う。
【００２２】
また、データ変更部１０３は、上記変更指示により変更の対象とされる頁のデータが、ファクシミリ通信部１４０により既に相手先のファクシミリ装置への送信を終えた頁のデータであるときは、当該相手先となるファクシミリ装置に対して、当該変更対象とされる頁のデータに対して上記変更指示が示す内容の変更処理の実行を要求する変更要求を作成する。この変更要求は、ファクシミリ通信部１４０により、実行中のファクス送信ジョブが終了する前に（すなわち、当該ファクス送信ジョブの実行中に）、画像メモリー１２０から読み出したファクス送信の対象とする各頁のデータに加えて、当該ファクス送信ジョブでの相手先とされるファクシミリ装置に送信される。
【００２３】
また、複合機１は、操作部４７及び表示部１５０を備える。操作部４７は、画像形成又は送信スタートキー、テンキー及び短縮番号キー等からなり、操作者から各種操作指示、本実施形態でいえば、例えば、ファクス送信ジョブの入力と、ファクス送信の対象とされる各頁の原稿のデータについての上記削除、差替、入替、又は挿入等の変更指示の入力とを受け付ける。すなわち、操作部４７は、変更指示受付部の一部として、ユーザーから入力されたファクス送信ジョブの実行中に、当該ファクス送信ジョブでのファクス送信済み及びファクス未送信の各頁のデータについて、データを変更する指示を頁単位でユーザーから受け付ける。
【００２４】
表示部１５０は、操作者への操作案内等を表示するＬＣＤ（Liquid Crystal Display）等からなる。なお、この表示部１５０がタッチパネル機能を備えることにより、操作部４７として操作者からの各種操作指示を受け付けるようにしてもよい。
【００２５】
さらに、複合機１は、画像読取部１１０が読み取った画像の編集及び加工処理等を行う画像処理部１９０と、ネットワーク接続された他のパーソナルコンピューターやサーバーとの間で各種データの通信を行うための通信インターフェイス１６０とを有している。
【００２６】
次に、第１実施形態に係る複合機１とファクス送信の相手先となるファクシミリ装置とのファクス通信処理を説明する。図２は、第１実施形態に係る複合機１とファクス送信の相手先となるファクシミリ装置とのファクス通信処理を示す図である。
【００２７】
送信側としての複合機１はそのファクシミリ通信部１４０が（以下、当該ファクス通信処理の説明において単に複合機１という）、ユーザーによる操作部４７の操作で入力されるファクス送信指示（すなわち、ファクス送信ジョブ）に基づくダイヤリングにより発呼し、CNG信号を送信して、相手先のファクシミリ装置に対して、複合機１がファクシミリ通信を行うファクシミリ装置であることを通知する（♯１）。
【００２８】
相手先のファクシミリ装置はそのファクシミリ通信部が（以下、当該ファクス通信処理の説明において単に相手先ファクシミリ装置という）が、受信側として上記CNG信号を受信すると、当該相手先ファクシミリ装置はこれに対する応答信号としてのCED信号と、受信側の装置機能（CCITT仕様等）を知らせるDIS信号を複合機１に送り返す（♯２）。
【００２９】
CED信号及びDIS信号を相手先ファクシミリ装置から受信した複合機１は、当該複合機１のセットアップデータ（CCITT仕様等）を知らせるDCS信号と、モデムトレーニング用のTCF信号とを、相手先ファクシミリ装置に対して送出する（♯３）。
【００３０】
上記DCS信号及びTCF信号を受信した相手先ファクシミリ装置は、受信成功を示すCFR信号を複合機１に返信する（♯４）。
【００３１】
送信側としての複合機１が当該CFR信号を受信すると、当該ファクス送信ジョブでファクス送信対象とする第１頁目のデータ（PIX）を、相手先ファクシミリ装置に対して送信する（♯５）。さらに、複合機１は、ファクス送信の対象とする他頁のデータが存在する場合は、他頁のデータが存在することを示すMPS信号を相手先ファクシミリ装置に送信する。
【００３２】
受信側としての相手先ファクシミリ装置では、受信した第１頁目のデータ（PIX）を画像メモリーに一時的に記憶させる。そして、相手先ファクシミリ装置は、第１頁目のデータを正しく受信したことを示すMCF信号を複合機１に対して返信する（♯６）。
【００３３】
複合機１は、相手先ファクシミリ装置からMCF信号を受信すると、ファクス送信の対象とする次頁のデータがある限り次頁のデータ（PIX）及びMPS信号を相手先ファクシミリ装置に送信する。この場合、相手先ファクシミリ装置では、受信した頁のデータ（PIX）を画像メモリーに一時的に記憶させてMCF信号を複合機１に返信する♯６の処理を繰り返す。以降、複合機１がファクス送信の対象とする全頁のデータを相手先ファクシミリ装置に送信完了するまで、♯５及び♯６の処理が繰り返される。
【００３４】
そして、複合機１が、ファクス送信の対象とする最終頁のデータ（PIX）を相手先ファクシミリ装置に送信したときは、データ送信を終了することを示すEOP信号を相手先ファクシミリ装置に送信する（♯７）。相手先ファクシミリ装置は、上記最終頁のデータを受信したことを示すMCF信号を複合機１に返信する（♯８）。
【００３５】
複合機１は、EOP信号を送信した後に、相手先ファクシミリ装置から上記MCF信号を受信すると、相手先ファクシミリ装置にDCN信号を送信して回線を遮断する（♯９）。
【００３６】
次に、第１実施形態に係る複合機１によるファクス送信処理を説明する。図３は、第１実施形態に係る複合機１によるファクス送信処理を示すフローチャートである。図４は操作部４７及び表示部１５０を示す図である。図５及び図６は表示部１５０の表示画面の一例を示す図である。図７は変更処理時における第１実施形態に係る複合機１とファクス送信の相手先となるファクシミリ装置とのファクス通信処理を示す図である。
【００３７】
例えばユーザーが画像読取部１１０の原稿載置台にファクス送信の対象とする原稿をセットし、複合機１の操作部４７を操作してファクス送信指示を入力すると、制御部１０１にファクス送信ジョブが受け付けられる。制御部１０１は、当該ファクス送信ジョブの実行を開始する（Ｓ１）。すなわち、図２に示した♯１から♯９に到る処理が開始される。制御部１０１は、まず、このファクス送信ジョブの実行開始に伴って、画像読取部１１０を駆動させ、セットされた上記原稿を読み取らせる。
【００３８】
このとき、制御部１０１は、ユーザーによる操作部４７の操作に基づいて、更なるファクス送信ジョブを受付可能である。例えば、先に入力されたファクス送信ジョブに基づく原稿読取中は、後に入力されたファクス送信ジョブは実行が待機される。或いは、先のジョブにおいて原稿読取が終了してデータのファクス送信処理が開始された場合には、後のジョブの原稿読取動作を並行して実行させる。
【００３９】
このファクス送信ジョブの実行中、例えば図４に示す操作部４７の「状態確認／ジョブ中止」キーＢ０をユーザーが押下する操作により、当該押下操作に基づいて、制御部１０１は、実行中又は待機中のジョブ一覧の表示指示を受け付けると共に、この時点で実行中のファクス送信を中断する（Ｓ２）。
【００４０】
このとき、制御部１０１は、図５に示すように、受け付けているファクス送信ジョブを、ジョブ表示画像ｊ１，ｊ２により表示部１５０に表示させる。ここで、例えば、ユーザーが、操作部４７又は操作部４７としての表示部１５０のタッチパネルを操作して、変更処理を希望する各頁の原稿のデータを含むファクス送信ジョブを表示するジョブ表示画像ｊ１部分を押下すると、タッチパネル機能により、制御部１０１は、当該ジョブ表示画像ｊ１が示すファクス送信ジョブの指定を受け付ける。
【００４１】
制御部１０１は、当該指定されたファクス送信ジョブにおいてファクス送信の対象とされている各頁のデータであって、既に画像読取部１１０により読み取られて画像メモリー１２０に記憶されている各頁のデータを示す画像と、既に相手先ファクシミリ装置に送信済みの各頁のデータを示す画像とを、表示部１５０に表示させる。
【００４２】
例えば、図６に示すように、制御部１０１は、画像メモリー１２０に一時記憶されてファクシミリ通信部１４０による相手先ファクシミリ装置へのファクス送信を待機している未送信の各頁を示す頁画像ｐ１１〜ｐ１５と、ファクシミリ通信部１４０により既に相手先ファクシミリ装置に送信された送信済みの各頁のデータを示す頁画像ｐ１６〜ｐ２０とを、未送信又は送信済みに区分して表示部１５０に表示させる。
【００４３】
このとき、制御部１０１は、表示部１５０に、上記未送信及び送信済みの各頁のデータを示す頁画像ｐ１１〜ｐ２０と共に、当該表示される各頁のデータに対して行う変更処理及びその内容を受け付けるための変更受付ボタンである「削除」ボタンＢ１、「後に挿入」ボタンＢ２、「前へ」ボタンＢ３、「後ろへ」ボタンＢ４、及び「差替」ボタンＢ５を表示させる。
【００４４】
「削除」ボタンＢ１は、指定された頁のデータを削除する処理を行う変更指示をタッチパネル機能により受け付けるためのボタンである。
【００４５】
「後に挿入」ボタンＢ２は、画像読取部１１０又は通信インターフェイス１６０により新たに取得されたデータを、ユーザーにより押下された頁画像ｐ１１〜ｐ２０のいずれかに表示されている頁番号が示す頁のデータの次頁に挿入し、ファクス送信対象とするデータとして追加する処理を行う変更指示を、タッチパネル機能により受け付けるためのボタンである。
【００４６】
例えば、制御部１０１は、上記ユーザーによる押下で指定された頁が未送信のデータであり、ユーザーにより「後へ挿入」ボタンＢ２が押下されて変更指示を受け付けると、画像読取部１１０に原稿載置部にセットされた原稿（単数頁又は複数頁のいずれでもよい。以下同様）を読み取らせ、上記指定された頁の次頁のデータとして画像メモリー１２０に記憶させる。
【００４７】
また、例えば、制御部１０１は、上記ユーザーによる押下で指定された頁が送信済のデータであり、ユーザーにより「後へ挿入」ボタンＢ２が押下されて変更指示を受け付けた場合は、画像読取部１１０に原稿載置部にセットされた原稿を読み取らせ、当該読み取られた頁のデータを、データ変更部１０３により生成された上記挿入の処理を要求する変更要求と共に、ファクシミリ通信部１４０により相手先のファクシミリ装置に送信させる。
【００４８】
「前へ」ボタンＢ３は、上記ユーザーによる押下で指定された頁のデータを、当該頁の前頁と頁順を入れ替える処理を行う変更指示を、タッチパネル機能により受け付けるためのボタンである。
【００４９】
「後ろへ」ボタンＢ４は、上記ユーザーによる押下で指定された頁のデータを、当該頁の次頁と頁順を入れ替える処理を行う変更指示を、タッチパネル機能により受け付けるためのボタンである。
【００５０】
「差替」ボタンＢ５は、画像読取部１１０又は通信インターフェイス１６０により新たに取得されたデータを、上記ユーザーによる押下で指定された頁のデータと差し替える処理を行う変更指示を、タッチパネル機能により受け付けるためのボタンである。
【００５１】
例えば、制御部１０１は、上記ユーザーによる押下で指定された頁が未送信のデータであり、ユーザーにより「差替」ボタンＢ５が押下されて差替の変更指示を受け付けると、画像読取部１１０に原稿載置部にセットされた原稿を読み取らせ、当該読み取られたデータを、上記指定された頁のデータと差し替えて画像メモリー１２０に記憶させる。なお、データ変更部１０３は、読み取られたデータが複数頁である場合は、当該頁以降の各頁の頁番号を、上記挿入により増加する頁分だけ繰り下げる。
【００５２】
また、例えば、制御部１０１は、上記ユーザーによる押下で指定された頁が送信済のデータであり、ユーザーにより「入替」ボタンＢ５が押下されて変更指示を受け付けると、画像読取部１１０に原稿載置部にセットされた原稿を読み取らせ、当該読み取られたデータを、上記のようにして作成された変更要求と共に、ファクシミリ通信部１４０により相手先のファクシミリ装置に送信させる。
【００５３】
このとき、ユーザーによる操作部４７の操作で上記いずれかのファクス送信ジョブ及びいずれかの変更処理が指定されることで変更指示が制御部１０１に受け付けられると（Ｓ３でＹＥＳ）、データ変更部１０３が、ユーザーによる当該変更指示に基づく変更処理を開始する。
【００５４】
なお、制御部１０１にユーザーからの上記変更指示が受け付けられない場合は（Ｓ３でＮＯ）、処理は後述するＳ６に移る。
【００５５】
Ｓ３でＹＥＳの後、データ変更部１０３は、ユーザーによる上記変更指示の示す変更処理の対象が、当該ファクス送信ジョブにおいて、未送信のデータであると判断した場合は（Ｓ４でＹＥＳ）、上記受け付けられた変更指示の示す変更処理、例えば、「削除」ボタンＢ１、「後に挿入」ボタンＢ２、「前へ」ボタンＢ３、「後ろへ」ボタンＢ４、及び「差替」ボタンＢ５に対応する削除、挿入、入替、又は差替のいずれかの処理を実行する（Ｓ５）。
【００５６】
このように上記変更指示の示す変更処理の対象が未送信のデータである場合、データ変更部１０３は、画像メモリー１２０記憶されている各頁のデータに対して上記変更指示の示す内容の変更処理を実行する。この後、上記中断していたファクス送信が再開され、ファクシミリ通信部１４０は、当該変更処理済みの頁のデータを含む画像メモリー１２０に記憶されている各頁のデータを頁単位で頁順に読み出して、頁毎に相手先のファクシミリ装置に送信する（Ｓ６）。
【００５７】
一方、Ｓ４において、データ変更部１０３は、ユーザーによる上記変更指示の示す変更処理の対象が、当該ファクス送信ジョブにおいて既に送信済のデータであると判断した場合は（Ｓ４でＮＯ）、データ変更部１０３は、上記受け付けられた変更指示の示す変更処理、例えば、「削除」ボタンＢ１、「後に挿入」ボタンＢ２、「前へ」ボタンＢ３、「後ろへ」ボタンＢ４、及び「差替」ボタンＢ５に対応する削除、挿入、入替、又は差替のいずれかの処理の実行を、相手先ファクシミリ装置に対して要求する変更要求を作成する（Ｓ８）。なお、制御部１０１は、ユーザーから受け付けた変更処理が挿入又は差替である場合には、画像読取部１１０にファクス送信対象とする新たな原稿を読み取らせて画像メモリー１２０に記憶させる（Ｓ８）。ファクシミリ通信部１４０は、当該新たに取得した原稿のデータを、上記作成された変更要求と共に、相手先のファクシミリ装置に送信する（Ｓ９）。
【００５８】
上記変更指示が制御部１０１に受け付けられると、制御部１０１は、変更指示の示す変更処理が挿入又は差替である場合は、画像読取部１１０に、原稿載置部にセットされている新たな原稿を読み取らせる。
【００５９】
そして、複合機１のファクシミリ通信部１４０は、図７に示すように、上記受け付けられた変更指示が示す変更処理を行うためのデータ送信を開始する旨を示す開始信号を相手先ファクシミリ装置に送信する（♯１１）。
【００６０】
相手先ファクシミリ装置は、上記開始信号を受信すると、複合機１に対して確認メッセージを返信する（♯１２）。
【００６１】
複合機１は、上記確認メッセージを相手先ファクシミリ装置から受信すると、上記変更指示に基づいて行う変更処理の内容を示す変更信号を送信する（♯１３）。なお、上記開始信号及び変更信号が当該変更要求を構成する。
【００６２】
続けて、複合機１は、当該変更処理に用いるデータ、例えば、変更処理が「挿入」又は「差替」のように、変更処理に新たな頁のデータを用いる場合には、当該新たな頁のデータ（PIX）を、相手先ファクシミリ装置に対して送信する（♯１４）。
【００６３】
さらに、複合機１は、当該新たなデータとして、複数頁のデータを送信する場合には、送信する更なる頁のデータが存在することを示すMPS信号を相手先ファクシミリ装置に送信する。この場合、複合機１は、ファクス送信の対象とする頁のデータ及びこれに続く次頁のデータがある限り、相手先ファクシミリ装置からMCF信号を受信すると、次頁のデータ（PIX）及びMPS信号を相手先ファクシミリ装置に送信する。相手先ファクシミリ装置では、受信した頁のデータ（PIX）を画像メモリーに一時的に記憶させてMCF信号を複合機１に返信する処理が行われる（♯１５）。
【００６４】
以降、変更処理の対象とされる各頁のデータを複合機１が相手先ファクシミリ装置に送信完了するまで、♯１４及び♯１５の処理が繰り返される。この場合、相手先ファクシミリ装置は、受信した変更信号の示す変更処理に従って、画像メモリーに記憶している各頁のデータに対して、上記受信した新たな頁のデータを挿入する又は差し替える処理を行う。
【００６５】
なお、上記変更処理が、削除又は入替のように、新たなデータを必要としない処理の場合は、♯１１〜♯１３の処理のみを行う。この場合、相手先ファクシミリ装置は、受信した変更信号の示す変更処理に従って、画像メモリーに記憶している各頁のデータであって、変更処理の対象とされる頁のデータを削除又は頁順を入れ替える。
【００６６】
制御部１０１は、ファクシミリ通信部１４０による上記変更指示に基づく変更要求及び当該変更処理に用いるデータの送信が完了すると、Ｓ２で中断していたファクス送信を再開させる。
【００６７】
この後、ファクシミリ通信部１４０は、画像メモリー１２０に未送信の各頁のデータが記憶されている限り、各頁を読み出して相手先ファクシミリ装置へのファクス送信を続ける。このファクス送信が続いている間、制御部１０１は、ユーザーによる上記変更処理の指示入力を待機し（Ｓ７でＹＥＳ，Ｓ１）、ユーザーから上記変更指示を受け付けた場合には上述した変更処理を行う（Ｓ７でＹＥＳ、Ｓ２〜Ｓ６，Ｓ８，Ｓ９）。
【００６８】
そして、ファクシミリ通信部１４０により画像メモリー１２０に記憶されている全ての未送信の頁のデータがファクス送信され、画像メモリー１２０に未送信の各頁のデータが記憶されていない状態となったとき（Ｓ７でＮＯ）、当該ファクス送信ジョブが終了する。
【００６９】
このように、第１実施形態に係る複合機１によれば、データ変更部１０３が、ファクス送信ジョブの実行中にユーザーから上記変更指示を受け付けて、当該変更指示の示す変更処理の対象とされる頁のデータを変更するための変更処理を行うので、当該ファクス送信ジョブは、当該変更処理を終えてから終了することになる。
【００７０】
このため、第１実施形態に係る複合機１によれば、原稿画像のファクス送信時に、ファクス送信の対象とする原稿画像に誤りがあった場合であっても、ユーザーによる指示に基づいて誤りを訂正した上で当該ファクス送信のジョブを完了させることができる。
【００７１】
次に、第２実施形態に係る複合機１を説明する。図８は、第２実施形態に係る複合機１の電気的構成の概略を示すブロック図である。なお、第１実施形態と同様の構成については説明を省略する。
【００７２】
第２実施形態に係る複合機１は、制御ユニット１００に、更に、画像生成部１０４と、変更有無判断部１０５とを更に備えている。
【００７３】
画像生成部１０４は、ファクス送信の対象とされる各頁のデータについて、各頁のデータに付された頁情報に基づいて、各頁に応じたヘッダー又はフッターの付加情報を示す付加情報画像を生成する。画像生成部１０４は、当該生成した付加情報画像を、対応頁のデータにおける予め定められた位置に合成する。当該予め定められた位置とは、各頁のデータが示す画像において、頁中央下部等、ユーザーにより設定された位置である。付加情報は、頁番号、総頁数等である。
【００７４】
変更有無判断部１０５は、データ変更部１０３により上述した変更処理が行われた場合に、各頁のデータの付加情報に変更が生じるか否かを判断する。
【００７５】
例えば、上記変更処理が「削除」であり、ファクス送信の対象とされる頁が第1頁〜第5頁であって第2頁を削除する場合、当該削除処理の結果、ファクス送信の対象とされる頁は第1頁〜第4頁となるが、従前の第3頁，第4頁，第5頁がそれぞれ第2頁，第3頁，第4頁となるため、これらの各頁の頁番号と総頁数が変わることになる。例えば、上記変更処理が「挿入」であり、ファス送信の対象とされる頁が第1頁〜第5頁であって第2頁として新たなデータを追加する場合、当該挿入処理の結果、ファクス送信の対象とされる頁は第1頁〜第6頁となるが、従前の第2頁，第3頁，第4頁，第5頁がそれぞれ第3頁，第4頁，第5頁，第6頁となるため、これらの各頁の頁番号と総頁数が変わることになる。また、例えば、上記変更処理が「入替」の場合も、ファクス送信の対象とされる各頁順が入れ替わるため、総頁数は不変であるが、入替の対象となる各頁の頁番号が変わる。
【００７６】
一方、例えば、上記変更処理が、「差替」であり、ファス送信の対象とされる頁が第1頁〜第5頁であって第2頁を新たなデータに差し替える場合、当該差替処理後も各頁の頁番号は変更されない。変更有無判断部１０５は、このように、変更処理の内容、増減する頁数、及び変更処理の対象とされる頁に関する情報等に基づいて、上記変更処理後の各頁のデータにいて頁番号や総頁数からなる付加情報に変更が生じるか否かを判断する。
【００７７】
上記の画像生成部１０４は、変更有無判断部１０５により付加情報に変更が生じると判断されたときに、変更処理後の各頁のデータについての頁番号又は／及び総頁数を含む付加情報の付加情報画像を新たに生成して、画像メモリー１２０に記憶されている各頁のデータのうち該当する頁のデータに、それまでの付加情報画像に代えて、対応する上記新規の付加情報画像を合成する。
【００７８】
なお、画像生成部１０４は、変更有無判断部１０５により付加情報に変更が生じると判断されたとき、未送信のデータであって画像メモリー１２０に記憶されている各頁のデータについて付加情報画像の生成及び合成を行うと共に、既に相手先ファクシミリ装置に送信済みの各頁の各頁のデータについても上記付加情報画像を生成する。
【００７９】
また、ファクシミリ通信部１４０は、ファクス送信済の頁のデータについて新たに生成された付加情報画像を、対応する各頁のデータに当該付加情報を合成させる合成指示と共に、前記相手先となるファクシミリ装置に送信する。このとき、ファクシミリ通信部１４０は、上述した変更処理において取得された新たな頁のデータが存在する場合には、当該新たな頁のデータと共に、上記合成指示を、相手先ファクシミリ装置に送信する。なお、当該合成指示は、例えばデータ変更部１０３が作成する。
【００８０】
次に、第２実施形態に係る複合機１におけるファクス送信処理を説明する。図９は、第２実施形態に係る複合機１によるファクス送信処理を示すフローチャートである。なお、第１実施形態に係る複合機１によるファクス送信処理における処理と同様の処理は説明を省略する。また、図１０（Ａ）は複合機１から相手先ファクシミリ装置に送信する付加情報画像と新たな頁の画像の一例を示し、（Ｂ）は既に相手先ファクシミリ装置に送信済の各頁の画像の一例を示し、（Ｃ）は相手先ファクシミリ装置において新たな付加情報画像の合成により書き換えられた各頁の画像の一例を示す図である。
【００８１】
制御部１０１が、受け付けている各ファクス送信ジョブを示す画像を表示部１５０に表示させているときに、ユーザーによる操作部４７の操作で、変更処理の対象とするファクス送信ジョブが指定されると、制御部１０１は、表示部１５０に、当該ファクス送信ジョブにおいて送信対象とされる各頁を示す画像を未送信又は送信済みに区別して表示させる（上記の図６）。
【００８２】
ここで、ユーザーが操作部４７を操作して、例えば、未送信の各頁のデータのいずれかから、変更処理の対象とする頁を選択し、更に、上記の「削除」ボタンＢ１、「後に挿入」ボタンＢ２、「前へ」ボタンＢ３、「後ろへ」ボタンＢ４、及び「差替」ボタンＢ５の中から所望の変更処理を示すボタンを指定して、変更処理の内容を指定すると（Ｓ２３でＹＥＳ）、変更有無判断部１０５は、当該指示の示す変更処理が、各頁のデータに付された付加情報に変動を生じさせるかを判断する（Ｓ２４）。
【００８３】
ここで、変更有無判断部１０５が、ファクス送信の対象とされる各頁のいずれかに付加情報の変更が生じると判断した場合は（Ｓ２４でＹＥＳ）、画像生成部１０４は、変更処理後の各頁のデータに付いての新たな付加情報画像を生成する（Ｓ２５）。このとき、画像生成部１０４は、付加情報に変更が生じると判断された頁のデータについてのみ新たな付加情報画像を生成するようにしてもよい。
【００８４】
なお、変更有無判断部１０５が、ファクス送信の対象とされる各頁のいずれにも付加情報に変更が生じないと判断した場合は（Ｓ２４でＮＯ）、画像生成部１０４は、新たな付加情報画像を生成しない。処理は後述するＳ２６に移る。
【００８５】
そして、データ変更部１０３は、ユーザーにより変更処理の対象として指定された頁が未送信のデータであるか、或いは、送信済みのデータであるかを判断する（Ｓ２６）。データ変更部１０３が、当該指定された頁が未送信の頁であると判断した場合には（Ｓ２６でＹＥＳ）、データ変更部１０３は、画像メモリー１２０に記憶されている各頁のデータに対して、ユーザーからの変更指示に基づく変更処理を行う（Ｓ２７）。このとき、各頁のデータについて上記新たな付加情報画像を生成している場合、画像生成部１０４は、対応する各頁のデータに当該付加情報画像を合成する。当該変更処理及び合成後のデータは、画像メモリー１２０に記憶される。制御部１０１は、ファクシミリ通信部１４０に、画像メモリー１２０に記憶されている各頁のデータを、指定された相手先のファクシミリ装置に送信させる（Ｓ２８）。
【００８６】
また、Ｓ２６において、データ変更部１０３が、ユーザーにより指示された変更処理が既に送信済みのデータに対するものであると判断した場合は（Ｓ２６でＮＯ）、当該変更処理の実行を相手先ファクシミリ装置に要求する変更要求を作成すると共に、上記新たな付加情報画像が生成されている場合には、合成指示を作成する（Ｓ３０）。ファクシミリ通信部１４０は、当該変更要求と、上記変更処理に基づいて新たな頁のデータが取得されている場合には上記新たな付加情報画像が画像生成部１０４により合成された上記新たな原稿のデータとを、相手先のファクシミリ装置に送信する。各頁のデータについて上記新たな付加情報画像が生成されている場合は、更に、当該付加情報画像及び上記合成指示を相手先のファクシミリ装置に送信する（Ｓ３１）。この後、処理はＳ２８に移り、画像メモリー１２０に記憶されている残りの未送信頁のデータがファクシミリ通信部１４０により相手先ファクシミリ装置に送信される（Ｓ２８）。
【００８７】
例えば、旧総頁数10頁で、第4頁として1頁分のデータを挿入（追加）して新総頁数が11頁となる場合であって、第5頁目までのデータを、複合機１が相手先ファクシミリ装置に既に送信しているとき、Ｓ３１において、複合機１のファクシミリ通信部１４０は、例えば、図１０（Ａ）に示すように、総頁数を11頁に変更した頁番号及び総頁数を含む付加情報を作成し、その付加情報画像を作成する。この場合、複合機１のファクシミリ通信部１４０は、相手先ファクシミリ装置に対して、挿入する新たな頁のデータとして、当該データに総頁数11頁からなる変更後の付加情報画像を合成後のデータim4を送信し、既に送信済みの旧第1頁から第5頁については、各頁に対応した頁番号と新たな総頁数である11頁からなる付加情報画像hf1〜hf5を送信する。
【００８８】
これにより、相手先ファクシミリ装置では、図１０（Ｂ）に示す旧第1頁から第5頁の画像を、図１０（Ｃ）に示すように、複合機１から受信した変更後の付加情報画像を合成後のデータim4を用いて新たな第4頁のデータとし、第1頁には付加情報画像hf1を用いて付加情報画像を書き換え、第2頁には総頁数11を示す付加情報画像hf2を用いて付加情報画像を書き換え、第3頁にも付加情報画像hf3を用いて付加情報画像を書き換える。更に、旧第4頁には総頁数11を示す付加情報画像hf4を用いて付加情報画像を書き換えることで新たに第5頁とし、旧第5頁には付加情報画像hf5を用いて付加情報画像を書き換えることで新たに第6頁とする。
【００８９】
この第２実施形態に係る複合機１のファクス送信処理によれば、上述した第１実施形態に係る複合機１によるファクス送信処理で得られる効果に加えて、以下の効果が得られる。
【００９０】
すなわち、画像生成部１０４は、変更処理後の各頁のデータについての付加情報に変更が生じると変更有無判断部１０５により判断されたとき、当該変更処理後の各頁のデータについての付加情報画像を新たに生成し、画像メモリー１２０に記憶されている各頁のデータに当該変更処理及び上記新たな付加情報画像の合成を行うと共に、ファクシミリ通信部１４０は、新たに生成された付加情報画像及びその合成指示を、相手先ファクシミリ装置に送信するので、相手先のファクシミリ装置は、当該付加情報画像を用いて、既に受信して記憶している各頁のデータに、変更処理による変更後の各頁のデータの頁順又は／及び頁数に整合した付加情報画像を合成することが可能になる。
【００９１】
これにより、ファクス送信の対象とする各頁のデータのファクス送信時に、ファクス送信の対象とする当該各頁のデータに誤りがあった場合であっても、誤りを訂正した上で当該ファクス送信のジョブを完了させると共に、送信相手先のファクシミリ装置において、当該誤り訂正後の各頁のデータの頁順又は／及び頁数と整合した付加情報画像を有する原稿画像を得ることができる。
【００９２】
次に、第２実施形態に係る複合機１によるファクス送信処理の他の実施形態を説明する。図１１は、第２実施形態に係る複合機１によるファクス送信処理の他の実施形態を示すフローチャートである。なお、上記図９に示した第２実施形態に係る複合機１によるファクス送信処理における処理と同様の処理は説明を省略する。
【００９３】
第２実施形態に係る複合機１は、当該他の実施形態に係るファクス送信処理を行うにあたり、変更有無判断部１０５は、データ変更部１０３による上記変更処理でファクシミリ通信部１４０によるファクス送信済みのデータについての付加情報に変更が生じるか否かを判定する。ファクス未送信の頁のデータと、ファクス送信済みの頁データは、制御部１０１により各頁情報が未送信及び送信済に区分されて各頁情報が記憶されている。変更有無判断部１０５は、操作者による操作部４７の操作で上記変更指示が入力されたときに、当該変更指示の示す変更処理の対象とされる頁が未送信又は送信済のいずれであるかを、上記制御部１０１による各頁情報の未送信及び送信済への区分に基づいて判定可能である。
【００９４】
図１１を参照して、当該他の実施形態に係るファクス送信処理においては、変更有無判断部１０５が、ファクス送信の対象とされる各頁のいずれかに付加情報に変更が生じると判断したとき（Ｓ４４でＹＥＳ）、変更有無判断部１０５は、当該付加情報に変更が生じる頁のデータは、未送信のデータ、送信済みのデータ、或いは、未送信及び送信済みの両方のデータのいずれであるかを判断する（Ｓ４５）。
【００９５】
ここで、変更有無判断部１０５が、当該付加情報に変更が生じる頁のデータは未送信のデータであると判断したとき（Ｓ４５で「未送信」）、画像生成部１０４は、未送信の各頁のデータについて変更処理後の各頁のデータに整合した新たな付加情報画像を生成し（Ｓ４６）、送信済みの各頁のデータについては新たな付加情報画像を生成しない。
【００９６】
また、変更有無判断部１０５が、当該付加情報に変更が生じる頁のデータは未送信及び送信済みの両方のデータであると判断したとき（Ｓ４５で「未送信及び送信済」）、画像生成部１０４は、未送信及び送信済みの両方のデータについて変更処理後の各頁のデータに整合した新たな付加情報画像を生成する（Ｓ４７）。
【００９７】
また、変更有無判断部１０５が、当該付加情報に変更が生じる頁のデータは送信済みのデータであると判断したとき（Ｓ４５で「送信済」）、画像生成部１０４は、送信済みの各頁のデータについての新たな付加情報画像を生成し（Ｓ４８）、未送信の各頁のデータについては新たな付加情報画像を生成しない。
【００９８】
このＳ４６〜Ｓ４８のいずれかの後、処理はＳ４９以降（図９に示したＳ２６以降の処理と同様）に移る。
【００９９】
なお、データ変更部１０３は、送信済みの各頁のデータについての上記新たな付加情報画像が生成されていない場合には、付加情報画像を合成させる上記の合成指示を作成せず、ファクシミリ通信部１４０は、相手先ファクシミリ装置に対して、合成指示及び付加情報画像を送信しない。
【０１００】
当該他の実施形態に係るファクス送信処理によれば、画像生成部１０４は、ファクス未送信であるかファクス送信済であるかを判断基準として、未送信又は送信済みのデータのうち、上記変更処理に伴って付加情報が変更され、付加情報画像を新たに生成する必要がある頁についてのみ新たな付加情報画像を生成することになるので、真に必要な付加情報画像の生成のみを行って、画像生成部１０４に要する処理負担を軽減することができる。また、ファクシミリ通信部１４０からは、相手先ファクシミリ装置が記憶している各頁のデータに合成する必要のない付加情報画像がファクス送信されることがないため、ファクス送信に要する処理及び時間を軽減することができる。
【０１０１】
次に、第３実施形態に係る複合機１を説明する。図１２は、第３実施形態に係る複合機１の電気的構成の概略を示すブロック図である。なお、第１実施形態と同様の構成については説明を省略する。
【０１０２】
第３実施形態に係る複合機１は、第１実施形態に係る複合機１における制御ユニット１００の構成に、更に、判定部１０６と、機能判別部１０７と、レポート画像生成部１０８とを更に備えている。
【０１０３】
判定部１０６は、データ変更部１０３による上記変更処理の対象とされる頁のデータがファクス送信済の頁のデータであるか否かを判定する。
【０１０４】
機能判別部１０７は、上記変更処理の対象とされるデータがファクス送信済の頁のデータであると判定部１０６によって判定された場合に、実行されているファクス送信ジョブにおけるファクス送信の相手先ファクシミリ装置が対応機であるか否かを判別する。対応機とは、複合機１から送信する上記変更要求に応じた変更処理を実行可能な変更処理機能を有するファクシミリ装置である。機能判別部１０７は、例えば、相手先ファクシミリ装置とのファクス送信開始時に、ファクシミリ通信部１４０からCNG信号を送信したときに、当該相手先ファクシミリ装置から受信するDIS信号に含まれる当該ファクシミリ装置の機能情報に基づいて、当該ファクシミリ装置が対応機であるか否かを判別する。すなわち、相手的ファクシミリ装置は対応機の場合、DIS信号に、対応機であることを示す情報を機能情報に含ませて複合機１に送信する。
【０１０５】
レポート画像生成部１０８は、ファクス送信の相手先ファクシミリ装置が上記変更処理機能を有しない（対応機ではない）と機能判別部１０７によって判別された場合に、当該相手先ファクシミリ装置に対して、データ変更部１０３による変更処理で変動する内容を示すレポート画像を生成する。
【０１０６】
なお、ファクシミリ通信部１４０は、レポート画像生成部１０８によってレポート画像が生成された場合に、機能判別部１０７によって変更処理機能を有しないと判別された相手先のファクシミリ装置に対して、当該レポート画像を送信する。
【０１０７】
次に、第３実施形態に係る複合機１におけるファクス送信処理を説明する。図１３は、第３実施形態に係る複合機１によるファクス送信処理を示すフローチャートである。なお、第１実施形態に係る複合機１によるファクス送信処理における処理と同様の処理は説明を省略する。
【０１０８】
制御部１０１が、受け付けている各ファクス送信ジョブを示す画像を表示部１５０に表示させているときに、ユーザーが操作部４７を操作して変更処理の内容を指定すると（Ｓ６３でＹＥＳ）、判定部１０６は、ユーザーにより変更処理の対象として指定された頁が未送信のデータであるか、或いは、送信済みのデータであるかを判別する（Ｓ６４）。
【０１０９】
ここで、判定部１０６が、ユーザーにより指示された変更処理が既に送信済みのデータに対するものであると判断した場合には（Ｓ６４でＮＯ）、機能判別部１０７が、この時点で実行されているファクス送信ジョブにおけるファクス送信の相手先ファクシミリ装置が上記対応機であるか否かを判別する（Ｓ６８）。
【０１１０】
機能判別部１０７が、相手先ファクシミリ装置が上記対応機であると判別した場合は（Ｓ６８でＹＥＳ）、データ変更部１０３が上記変更要求を作成し（Ｓ６９）、ファクシミリ通信部１４０は、当該変更要求と共に、上記変更処理に基づいて新たな頁のデータが取得されている場合には、更に当該新たな原稿のデータを相手先のファクシミリ装置に送信する（Ｓ７０）。この後、処理はＳ６６に移る。
【０１１１】
一方、機能判別部１０７が、相手先ファクシミリ装置が上記対応機ではないと判別した場合は（Ｓ６８でＮＯ）、レポート画像生成部１０８が、上記レポート画像を生成する（Ｓ７１）。ファクシミリ通信部１４０は、当該生成されたレポート画像を相手先ファクシミリ装置に送信する（Ｓ７２）。この後、処理はＳ６６に移り、画像メモリー１２０に記憶されている残りの未送信頁のデータがファクシミリ通信部１４０により相手先ファクシミリ装置に送信される（Ｓ６６）。
【０１１２】
このＳ７２によるレポート画像の送信は、Ｓ６２で画像メモリー１２０に記憶された各頁のデータのファクス送信を中断した状態でファクシミリ通信部１４０が行うため、上記変更処理により内容に変更が生じた各頁のデータが相手先ファクシミリ装置に送信される前に、当該相手先ファクシミリ装置に送信される。このため、相手先ファクシミリ装置におけるユーザーに対して、当該レポート画像の印刷物よりも後に印刷される印刷物は、ファクス送信中に変更された内容の印刷物であることを把握させることができる。
【０１１３】
なお、制御部１０１は、ファクシミリ通信部１４０に、上記変更処理により内容に変更が生じる頁のデータの前頁として、当該生成されたレポート画像を相手先ファクシミリ装置に送信させるようにしてもよい。この場合、相手先ファクシミリ装置におけるユーザーに対して、当該レポート画像の印刷物の次頁又は次頁以降の頁が、ファクス送信中に変更された内容の印刷物であることを把握させることができる。
【０１１４】
例えば、相手先ファクシミリ装置に送信済みの頁のデータがユーザーによる変更処理の対象とされ、当該変更処理が「削除」の場合、レポート画像生成部１０８は、当該変更処理の内容に基づいて、削除対象となる頁番号を示すメッセージを含むレポート画像を生成する。この際、レポート画像生成部１０８は、例えば、当該削除対象とした頁を示すデータを画像メモリー１２０から読み出し、当該頁の内容を示す画像を含めてレポート画像を生成してもよい。相手先ファクシミリ装置が、複合機１のファクシミリ通信部１４０から当該レポート画像を受信して画像形成した場合における画像形成結果（印刷結果）の例を図１４に示す。
【０１１５】
また、例えば、相手先ファクシミリ装置に送信済みの頁のデータがユーザーによる変更処理の対象とされ、当該変更処理が「入替」の場合、レポート画像生成部１０８は、当該変更処理の内容に基づいて、入替対象とする各頁番号を示すメッセージを含むレポート画像を生成する。この際、レポート画像生成部１０８は、例えば、当該入替対象とした各頁を示す画像を画像メモリー１２０から読み出し、当該画像を含めてレポート画像を生成してもよい。相手先ファクシミリ装置が、複合機１のファクシミリ通信部１４０から当該レポート画像を受信して画像形成した場合における画像形成結果の例を図１５に示す。
【０１１６】
また、例えば、相手先ファクシミリ装置に送信済みの頁のデータがユーザーによる変更処理の対象とされ、当該変更処理が「差替」の場合、レポート画像生成部１０８は、当該変更処理の内容に基づいて、差替対象とする頁番号と、当該差し替えに用いるために後に送信するデータの頁番号とを示すメッセージを含むレポート画像を生成する。この際、レポート画像生成部１０８は、例えば、当該差替の対象とする各頁を示す画像を含めてレポート画像を生成してもよい。相手先ファクシミリ装置が、複合機１のファクシミリ通信部１４０から当該レポート画像を受信して画像形成した場合における画像形成結果の例を図１６に示す。
【０１１７】
また、例えば、既に相手先ファクシミリ装置に送信済みの頁のデータがユーザーによる変更処理の対象とされ、当該変更処理が「挿入」の場合、レポート画像生成部１０８は、当該変更処理の内容に基づいて、挿入する位置を示すメッセージを含むレポート画像を生成する。相手先ファクシミリ装置が、複合機１のファクシミリ通信部１４０から当該レポート画像を受信して画像形成した場合における画像形成結果の例を図１７に示す。
【０１１８】
第２実施形態に係る複合機１によるファクス送信では、変更処理により内容が変動する頁のデータが送信済の頁のデータであって、送信相手先のファクシミリ装置が複合機１から送信する変更要求に応じて受信済みの各頁のデータを変更する変更処理機能を有しない場合には、レポート画像生成部１０８が、上記変更処理によって変動する内容を示すレポート画像を生成し、ファクシミリ通信部１４０が、当該レポート画像を上記相手先のファクシミリ装置に送信するので、相手先のファクシミリ装置では、そのユーザーが、当該レポート画像の印刷物を視認することによりファクス受信物に変更があったことを確認できる。このため、当該操作者は、この確認により、相手先のファクシミリ装置において既に印刷済みの印刷物についての変更点を把握して頁順を変更する等により、当該印刷物を有効に活用可能である。
【０１１９】
当該第３実施形態に係る複合機１によるファクス送信処理によれば、送信側の複合機１から各頁のデータのファクス送信を開始した後に、当該送信側のファクシミリ装置において各頁のデータが訂正されて内容が変わった場合であっても、受信側のファクシミリ装置においては、受信した原稿画像に訂正が生じていることを示すレポートを受信した上でファクス送信を終了することが可能である。
【０１２０】
また、当該ファクス送信処理によれば、レポート画像は、上記変更処理を行う度に作成及び送信をしているので、例えば、挿入で追加される頁の直前頁として、上記レポート画像を送ることになる。なお、このときは、レポート画像送信後に送信する以後の頁は、上記変更処理後のものであることを、相手先ファクシミリ装置に対して明確に伝えることができる。
【０１２１】
また、当該ファクス送信処理によれば、ファクス送信ジョブが終了する前に、上記変更処理及びレポート送信処理を行うことになるので、相手先ファクシミリ装置においては、当該レポートは当該ファクス送信ジョブによる印刷物と共に印刷が完了するため、相手先ファクシミリ装置のユーザーは、当該レポートに基づいて、当該ファクス送信ジョブによる印刷物に訂正があったことを把握し易い。例えば、ユーザーは、相手先ファクシミリ装置で印刷された記録紙束を順に視認すると、印刷物の訂正内容を把握しやすい。
【０１２２】
次に、第３実施形態に係る複合機１によるファクス送信処理の他の実施形態を説明する。図１８は、第３実施形態に係る複合機１によるファクス送信処理の他の実施形態を示す図である。なお、図１３に示した第３実施形態に係る複合機１によるファクス送信処理における処理と同様の処理は説明を省略する。
【０１２３】
当該他の実施形態に係るファクス送信処理では、レポート画像生成部１０８は、上述した付加情報画像を、ファクス送信の対象とされる各頁のデータについて生成する。レポート画像生成部１０８による当該付加情報画像の合成は、画像生成部１０４による場合と同様である。
【０１２４】
第３実施形態に係る複合機１は、当該他の実施形態を行うにあたり、制御ユニット１００に、図１２に破線で示す変更有無判断部１０９を更に備えている。変更有無判断部１０９は、データ変更部１０３による変更処理がファクス送信済みのデータについてのヘッダー又はフッターの付加情報に変更を生じさせるか否かを判断する。
【０１２５】
ファクス送信ジョブの実行時に、ユーザーが操作部４７を操作して、変更処理の内容を指定すると（Ｓ８３でＹＥＳ）、変更有無判断部１０９は、当該指示の示す変更処理が、各頁のデータに付された付加情報に変動を生じさせるかを判断する（Ｓ８４）。
【０１２６】
ここで、変更有無判断部１０９が、ファクス送信の対象とされる各頁のいずれかで付加情報に変更が生じると判断した場合は（Ｓ８４でＹＥＳ）、変更有無判断部１０９は、上記変更処理により付加情報に変更処理の対象として指定された頁が未送信のデータであるか、或いは、送信済みのデータであるかを判断する（Ｓ８５）。なお、変更有無判断部１０９が、ファクス送信の対象とされる各頁のいずれでも付加情報に変更が生じないと判断した場合は（Ｓ８４でＮＯ）、処理はＳ８７に移る。
【０１２７】
変更有無判断部１０９によって付加情報に変更の生じる頁が未送信の頁であると判断された場合には（Ｓ８５で「未送信」）、レポート画像生成部１０８は、当該ファクス未送信の各頁のデータのみについて付加情報画像を新たに生成する（Ｓ８６）。このとき、レポート画像生成部１０８は、ファクス送信済みの各頁のデータについての付加情報画像を生成しない。なお、Ｓ８５において、変更有無判断部１０９が、付加情報に変更の生じる頁が未送信の頁であると判断する場合には、付加情報に変更の生じる頁が未送信及び送信済みの両方の頁である場合も含むものとする。この後、処理はＳ８７に移る。
【０１２８】
また、変更有無判断部１０９によって付加情報に変更の生じる頁が送信済の頁であると判断された場合には（Ｓ８５で「送信済」）、レポート画像生成部１０８は、ファクス未送信及び送信済みの両方の各頁のデータについて、変更処理後の各頁に対応する付加情報画像を生成しない。この後、処理はＳ８７に移る。
【０１２９】
そして、データ変更部１０３は、ユーザーによる変更処理の内容に従って、画像メモリー１２０に記憶されている未送信の各頁のデータに対して変更処理を行う（Ｓ８７）。或いは、データ変更部１０３は、ユーザーによる変更処理の内容が送信済みの各頁のデータに対するものである場合には、画像読取部１１０により新たな頁のデータを取得して変更処理を行う（Ｓ８７）。
【０１３０】
このとき、各頁のデータについて上記新たな付加情報画像を生成している場合、画像生成部１０４は、対応する頁のデータに当該付加情報画像を合成する。当該変更処理後のデータは、画像メモリー１２０に記憶される。
【０１３１】
続いて、機能判別部１０７が、この時点で実行されているファクス送信ジョブにおけるファクス送信の相手先ファクシミリ装置が上記対応機であるか否かを判別する（Ｓ８８）。
【０１３２】
機能判別部１０７が、相手先ファクシミリ装置が上記対応機であると判別した場合は（Ｓ８８でＹＥＳ）、制御部１０１は、ファクシミリ通信部１４０に、画像メモリー１２０に記憶されている上記変更処理後の各頁のデータを、指定された相手先のファクシミリ装置に送信する（Ｓ９２）。
【０１３３】
一方、機能判別部１０７が、相手先ファクシミリ装置が上記対応機ではないと判別した場合には（Ｓ８８でＮＯ）、上記変更処理により送信済みの各頁のデータに変動が生じているか否かを判断し（Ｓ８９）、上記変更処理により送信済みの各頁のデータに変動が生じていると判断した場合は（Ｓ８９でＹＥＳ）、レポート画像生成部１０８が、上記レポート画像を生成する（Ｓ９０）。ファクシミリ通信部１４０は、当該生成されたレポート画像を相手先ファクシミリ装置に送信する（Ｓ９１）。制御部１０１は、ファクシミリ通信部１４０に、画像メモリー１２０に記憶されている上記変更処理後の各頁のデータを、指定された相手先のファクシミリ装置に送信する（Ｓ９２）。
【０１３４】
例えば、相手先ファクシミリ装置に送信済みの頁のデータがユーザーによる変更処理の対象とされ、当該変更処理が「削除」の場合、レポート画像生成部１０８は、当該変更処理の内容に基づいて、削除対象となる頁番号を示すメッセージとを含み、付加情報が変更される箇所及び内容を示すメッセージを更に含むレポート画像を生成する。相手先ファクシミリ装置が、複合機１のファクシミリ通信部１４０から当該レポート画像を受信して画像形成した場合における画像形成結果の例を図１９に示す。
【０１３５】
また、例えば、相手先ファクシミリ装置に送信済みの頁のデータがユーザーによる変更処理の対象とされ、当該変更処理が「挿入」の場合、レポート画像生成部１０８は、当該変更処理の内容に基づいて、挿入する位置を示すメッセージとを含み、付加情報が変更される箇所及び内容を示すメッセージを更に含むレポート画像を生成する。相手先ファクシミリ装置が、複合機１のファクシミリ通信部１４０から当該レポート画像を受信して画像形成した場合における画像形成結果の例を図２０に示す。
【０１３６】
また、例えば、相手先ファクシミリ装置に未送信の頁のデータがユーザーによる変更処理の対象とされ、当該変更処理が「削除」の場合、レポート画像生成部１０８は、当該変更処理の内容に基づいて、付加情報が変更される箇所及び内容を示すメッセージを含むレポート画像を生成する。相手先ファクシミリ装置が、複合機１のファクシミリ通信部１４０から当該レポート画像を受信して画像形成した場合における画像形成結果の例を図２１に示す。
【０１３７】
当該実施形態では、変更処理により変動した頁番号及び／又は総頁数を示す付加情報画像は、複合機１の画像メモリー１２０に記憶されている未送信の各頁のデータに用いるもののみがレポート画像生成部１０８により生成され、すなわち、相手先ファクシミリ装置への変更処理後のデータの送信が可能な頁のデータ分についてのみ付加情報画像が新たに生成されるので、無駄な付加情報画像の生成が行われない。また、相手先ファクシミリ装置に対しては、Ｓ９０で生成するレポート画像を送信することにより、変更処理により変動した頁番号及び／又は総頁数は的確に報告される。
【０１３８】
次に、相手先ファクシミリ装置が上記対応機である場合における当該相手先ファクシミリ装置の構成を説明する。図２２は相手先ファクシミリ装置についての構成を示すブロック図である。なお、複合機１と同様の構成は説明を省略する。
【０１３９】
相手先ファクシミリ装置としての受信側複合機２は、ファクシミリ通信部２４０が送信側としての複合機１から各頁の原稿画像を受信すると、画像メモリー２２０に当該各頁の原稿画像を記憶させる。
【０１４０】
受信側複合機２は、制御ユニット２００に、変更処理部２０２を備えている。
【０１４１】
変更処理部２０２は、受信側複合機２において複合機１（送信側）から原稿画像を受信しているファクス通信ジョブが実行されているときに、ファクシミリ通信部２４０が画像メモリー２２０に記憶されている各頁の原稿画像を変更する変更要求を複合機１から受信した場合は、当該変更要求の示す変更内容に従って、画像メモリー２２０に記憶されている各頁の原稿画像を変更する変更処理を行う。
【０１４２】
例えば、複合機１からファクシミリ通信部２４０が上記変更要求として上記「後へ挿入」の変更指示を受信すると、変更処理部２０２は、当該変更要求と共に複合機１から受信した頁のデータを、画像メモリー２２０に記憶されている当該変更要求の示す頁の次頁のデータとして、画像メモリー２２０に記憶させる。
【０１４３】
また、例えば、複合機１からファクシミリ通信部２４０が上記変更要求として上記「前へ」の頁入替を示す変更指示を受信すると、変更処理部２０２は、画像メモリー２２０に記憶されている各頁のデータについて、変更要求により指定された頁番号が示す頁のデータを、当該頁の前頁と頁順を入れ替える。
【０１４４】
また、例えば、複合機１からファクシミリ通信部２４０が上記変更要求として上記「後ろへ」の頁入替を示す変更指示を受信すると、変更処理部２０２は、画像メモリー２２０に記憶されている各頁のデータについて、変更要求により指定された頁番号が示す頁のデータを、当該頁の次頁と頁順を入れ替える。
【０１４５】
また、例えば、複合機１からファクシミリ通信部２４０が上記変更要求として上記「差替」の変更指示を受信すると、変更処理部２０２は、当該変更要求と共に複合機１から受信した頁のデータを、画像メモリー２２０に記憶されている各頁のデータについて、当該変更要求により指定された頁番号が示す頁のデータと差し替える。
【０１４６】
また、例えば、複合機１からファクシミリ通信部２４０が上記変更要求として上記「削除」の変更指示を受け付けると、変更処理部２０２は、画像メモリー２２０に記憶されている各頁のデータについて、変更要求により指定された頁番号が示す頁のデータを削除する。
【０１４７】
さらに、変更処理部２０２は、ファクシミリ通信部２４０が複合機１から上述した合成指示と共に付加情報画像を受信したときに、当該合成指示に従って、画像メモリー２２０に記憶している各頁のデータにおける付加情報画像を、当該受信した新たな付加情報画像に書き替える。
【０１４８】
制御部２０１は、変更処理部２０２による変更処理がされた各頁のデータを含む、画像メモリー２２０に記憶されている各頁のデータを用いて、画像形成部２３０に画像形成を行わせる。
【０１４９】
また、変更処理部２０２は、ファクシミリ通信部２４０が、受信側複合機２において複合機１から原稿画像を受信しているファクス通信ジョブが実行されているときに、例えば、複合機１から上記変更要求として、画像メモリー２２０に記憶されている各頁の原稿画像についてのヘッダー又はフッターの付加情報を示す新たな付加情報画像と、当該各頁の原稿画像についての従前の付加情報画像を当該新たな付加情報画像に置き換えて合成する合成要求とを受信すると、画像メモリー１２０に記憶されている各頁の原稿画像のうち、前記合成要求の示す頁の原稿画像における従前の付加情報画像を前記新たな付加情報画像に置き換えて合成する処理を行う。
【０１５０】
次に、受信側複合機１によるファクス受信処理を説明する。図２３は、受信側複合機２０によるファクス受信処理を示すフローチャートである。
【０１５１】
送信側の複合機１におけるファクス送信ジョブの実行に基づいて、受信側の複合機２０において、ファクシミリ通信部２４０が、送信側の複合機１から頁毎に原稿画像を受信すると（Ｓ１０１）、当該各頁の原稿画像を画像メモリー１２０に記憶させる（Ｓ１０２）。
【０１５２】
ここで、ファクシミリ通信部２４０が、複合機１からファクス送信の終了を示すDCN信号を受信して、複合機１から送られてくる当該ファクス送信ジョブの実行に基づく全頁のデータを受信完了したとき（Ｓ１０３でＹＥＳ）、変更処理部２０２は、当該ファクス送信において当該複合機１から受信されて画像メモリー２２０に記憶されている各頁の原稿画像についての変更要求をファクシミリ通信部２４０が送信側複合機１から受信しているか否かを判断する（Ｓ１０４）。すなわち、変更処理部２０２は、受信側複合機２において複合機１から原稿画像を受信しているファクス通信ジョブの実行中に、ファクシミリ通信部２４０が送信側複合機１から当該変更要求を受信しているか否かを判断する。
【０１５３】
ここで、変更処理部２０２が変更要求を受信していると判断したとき（Ｓ１０４でＹＥＳ）、変更処理部２０２は、当該変更要求の内容に従って、画像メモリー２２０に記憶されている各頁のデータに対して変更処理を行う（Ｓ１０５）。ファクシミリ通信部２４０が当該変更要求を送信側の複合機１から受信しない場合（Ｓ１０４でＮＯ）、Ｓ１０５の処理は行われない。
【０１５４】
そして、変更処理部２０２は、付加情報画像の差し換えを求める合成指示と、当該書換に用いる新たな付加情報画像とをファクシミリ通信部２４０が送信側複合機１から受信しているか否かを判断する（Ｓ１０６）。すなわち、変更処理部２０２は、受信側複合機２において複合機１から原稿画像を受信しているファクス通信ジョブの実行中に、ファクシミリ通信部２４０が送信側複合機１から当該合成指示及び新たな付加情報画像を受信しているか否かを判断する。
【０１５５】
変更処理部２０２が、付加情報画像の差し換えを求める合成指示と、当該書換に用いる新たな付加情報画像をファクシミリ通信部２４０が送信側複合機１から受信していると判断したとき（Ｓ１０６でＹＥＳ）、変更処理部２０２は、当該合成指示の示す内容に従って、受信した新たな付加情報画像を対応する頁のデータに合成して、従前の付加情報画像を当該新たな付加情報画像に差し替える（Ｓ１０７）。Ｓ１０６でＮＯの場合は、Ｓ１０７の処理は行われない。
【０１５６】
上記のように複合機１から全頁終了を示す信号を受信し、上記変更処理が行われた場合はその変更処理後の各頁のデータを用い、上記書換が行われた場合は、書換後の各頁のデータを用いて、制御部２０１は、画像形成部２３０に、画像メモリー２２０内の各頁の原稿画像を頁順に画像形成させる（Ｓ１０８）。この画像形成をもって、受信側複合機２において複合機１から原稿画像を受信するファクス通信ジョブを終了する。
【０１５７】
これによれば、送信側の複合機１が各頁のデータのファクス送信を開始した後に、当該送信側の複合機１において、ファクス送信の対象とする各頁のデータが訂正されて内容が変わった場合であっても、受信側の複合機２において、当該訂正後の各頁のデータに基づいて原稿画像を印刷した上でファクス送信ジョブを終了することが可能になる。
【０１５８】
第１乃至第３実施形態に係るいずれかの複合機１を送信側のファクシミリ装置とし、上記複合機２を受信側のファクシミリ装置とする通信システムも、本発明の一実施形態となる。
【０１５９】
また、本発明は上記実施の形態の構成に限られず種々の変形が可能である。図１乃至図２３を用いて上記各実施形態に示した構成及び処理は、本発明の一実施形態に過ぎず、本発明の構成及び処理はこれに限定されるものではない。
【符号の説明】
【０１６０】
１        複合機
１００    制御ユニット
１０１    制御部
１０２    変更指示受付部
１０３    データ変更部
１０４    画像生成部
１０５    変更有無判断部
１０６    判定部
１０７    機能判別部
１０８    レポート画像生成部
１０９    変更有無判断部
１１０    画像読取部
１２０    画像メモリー
１３０    画像形成部
１４０    ファクシミリ通信部
１５０    表示部
１６０    通信インターフェイス
１９０    画像処理部
４７      操作部
２０      受信側複合機
２００    制御ユニット
２０１    制御部
２０２    変更処理部
２２０    画像メモリー
２３０    画像形成部
２４０    ファクシミリ通信部
【図１】
2014216967.tif 000003
【図２】
2014216967.tif 000004
【図３】
2014216967.tif 000005
【図４】
2014216967.tif 000006
【図５】
2014216967.tif 000007
【図６】
2014216967.tif 000008
【図７】
2014216967.tif 000009
【図８】
2014216967.tif 000010
【図９】
2014216967.tif 000011
【図１０】
2014216967.tif 000012
【図１１】
2014216967.tif 000013
【図１２】
2014216967.tif 000014
【図１３】
2014216967.tif 000015
【図１４】
2014216967.tif 000016
【図１５】
2014216967.tif 000017
【図１６】
2014216967.tif 000018
【図１７】
2014216967.tif 000019
【図１８】
2014216967.tif 000020
【図１９】
2014216967.tif 000021
【図２０】
2014216967.tif 000022
【図２１】
2014216967.tif 000023
【図２２】
2014216967.tif 000024
【図２３】
2014216967.tif 000025